(57)【要約】【課題】  噴出口と、該噴出口と対向する被乾燥体との間において生じる気圧溜りの発生を低減すると共に、暴露量の減少を抑えることができる乾燥装置を提供すること。【解決手段】  乾燥装置（２０）は、被乾燥体（Ｐ）に対して乾燥空気を噴出する噴出口（Ａ１〜Ａ５）と、空気を吸引する吸引口（Ｂ１〜Ｂ６、Ｃ１、Ｃ２）と、前記噴出口（Ａ１〜Ａ５）と前記吸引口（Ｂ１〜Ｂ６）とを交互に配列し、区画する板状区画材（３０、３０…）と、を備えていることを特徴とする。【選択図】図２
2009208422.tif 000002
【特許請求の範囲】
【請求項１】
被乾燥体に対して乾燥空気を噴出する噴出口と、
空気を吸引する吸引口と、
前記噴出口と前記吸引口とを交互に配列し、区画する板状区画材と、を備える乾燥装置。
【請求項２】
請求項１に記載の乾燥装置において、前記噴出口において、向かい合う一対の前記板状区画材の一方のみが、噴出方向下流側に進むに従って徐々に前記一対の板状区画材の他方に接近するように該他方の板状区画材に対して傾斜している乾燥装置。
【請求項３】
請求項２に記載の乾燥装置において、前記一対の板状区画材の一方の噴出方向下流端は、前記他方の噴出方向下流端より噴出方向下流側に位置する乾燥装置。
【請求項４】
請求項１に記載の乾燥装置において、前記噴出口から噴出される乾燥空気は、該噴出口を基準として、該噴出口の両隣に配設された前記吸引口の一方に偏倚した角度で噴出され、前記両隣の吸引口によって非対称に吸引される乾燥装置。
【請求項５】
請求項１乃至４のいずれか１項に記載の乾燥装置において、前記噴出口および前記吸引口が配列された領域において、最外周は前記吸引口である乾燥装置。
【請求項６】
請求項１乃至５のいずれか１項に記載の乾燥装置において、複数の前記噴出口の噴出方向上流側に設けられ、送られてきた乾燥空気の気流を第１方向において分割し分岐する第１噴出気流分岐部と、
該第１噴出気流分岐部によって分岐された乾燥空気の気流を前記第１方向と交差する第２方向において分割し前記複数の噴出口へ分岐する第２噴出気流分岐部と、
複数の前記吸引口の吸引方向下流側に設けられ、前記複数の吸引口から吸引された空気の気流を前記第２方向において結合し合流する第１吸引気流合流部と、
該第１吸引気流合流部によって合流された複数の気流を前記第１方向において結合し合流する第２吸引気流合流部と、を備え、
前記噴出口および前記吸引口は、前記第２方向において交互に配列され、前記第２噴出気流分岐部および前記第１吸引気流合流部は、前記第１方向において交互に配列されている乾燥装置。
【請求項７】
被記録媒体を搬送する搬送部と、
搬送された被記録媒体に対して記録を実行する記録部と、
記録された被記録媒体に対して乾燥空気を噴出する乾燥部と、を備えた記録装置であって、
該乾燥部は、請求項１乃至６のいずれか１項に記載された前記乾燥装置を備える記録装置。
【発明の詳細な説明】
【技術分野】
【０００１】
本発明は、被乾燥体に対して乾燥空気を噴出する噴出口と、空気を吸引する吸引口と、を備える乾燥装置および該乾燥装置を備える記録装置に関する。  
本願において、記録装置には、インクジェットプリンタ、ワイヤドットプリンタ、レーザープリンタ、ラインプリンタ、複写機、ファクシミリ等の種類が含まれるものとする。
【背景技術】
【０００２】
従来では、特許文献１に示す如く、記録装置は乾燥装置である乾燥部を備えていた。具体的には、乾燥部は、一つの赤外線ヒータと、吸引口とを有していた。従って、記録された用紙の記録面に対して、乾燥熱風を当てることができた。そして、該記録面に当てた空気を吸引することができた。従って、用紙の記録面のインクを乾燥させ、定着させることができた。
【特許文献１】特開平８−２２４８７１号公報
【発明の開示】
【発明が解決しようとする課題】
【０００３】
しかしながら、赤外線ヒータの乾燥熱風を一箇所において、用紙面に対して垂直に吹き付ける構成である。従って、吹き付けた用紙面の中心に気圧溜りができ、暴露量が減少する虞がある。即ち、中心に気圧が溜まるため、乾燥効率が十分でない虞がある。また、吹き付けられた風は、中心の外側へ逃げるため、その分無駄になる。そして、逃げた風の向きは用紙面に対して平行になり、用紙面の凹凸が流体抵抗となって剥離層ができる。従って、用紙面上の実効的な暴露量は減少する。
【０００４】
本発明は、このような状況に鑑み成されたものであり、その課題は、暴露量の減少を抑えることができる乾燥装置および該乾燥装置を備えた記録装置を提供することである。
【課題を解決するための手段】
【０００５】
上記課題を達成するため、本発明の第１の態様の乾燥装置は、被乾燥体に対して乾燥空気を噴出する噴出口と、空気を吸引する吸引口と、前記噴出口と前記吸引口とを交互に配列し、区画する板状区画材と、を備えていることを特徴とする。  
本発明の第１の態様によれば、前記乾燥装置は、前記板状区画材によって前記噴出口と前記吸引口とを交互に配列した構成である。従って、従来技術のように一箇所に気圧溜りが生じる虞がない。即ち、気圧が溜まる箇所を分散して前記噴出口と対向する被乾燥体において生じる気圧溜りを低減することができる。その結果、暴露量の減少を抑えることができる。
【０００６】
また、前記噴出口と前記吸引口とを交互に配列したので、前記噴出口から噴出させた乾燥空気を被乾燥体に衝突させ、反射流の経路に設けた前記吸引口を負圧としてスムーズに誘導して回収することができる。  
その結果、単位面積・時間当りに大量の乾燥空気を均一に暴露させることができる。即ち、乾燥効率を向上させることができる。
【０００７】
本発明の第２の態様は、第１の態様において、前記噴出口において、向かい合う一対の前記板状区画材の一方のみが、噴出方向下流側に進むに従って徐々に前記一対の板状区画材の他方に接近するように該他方の板状区画材に対して傾斜していることを特徴とする。  
本発明の第２の態様によれば、第１の態様と同様の作用効果に加え、前記噴出口において、向かい合う一対の前記板状区画材の一方のみが、噴出方向下流側に進むに従って徐々に前記一対の板状区画材の他方に接近するように該他方の板状区画材に対して傾斜している。従って、乾燥空気を被乾燥体の表面に進入角度を付けて進入させ跳ね返りやすくすることができる。その結果、拡散する無駄な空気を低減できる。
【０００８】
さらに、跳ね返る空気を、隣り合う前記吸引口にスムーズに誘導することができる。即ち、吸引効率を向上させることができる。  
また、前記一方の板状区画材を前記傾斜させることによって、前記吸引口の間口を広げることができる。その結果、前記跳ね返る空気を吸引しやすくすることができ、吸引効率を向上させることができる。
【０００９】
本発明の第３の態様は、第２の態様において、前記一対の板状区画材の一方の噴出方向下流端は、前記他方の噴出方向下流端より噴出方向下流側に位置することを特徴とする。  
本発明の第３の態様によれば、第２の態様と同様の作用効果に加え、前記一対の板状区画材の一方の噴出方向下流端は、前記他方の噴出方向下流端より噴出方向下流側に位置する。従って、前記他方の板状区画材によって区画された隣り合う前記噴出口および前記吸引口において、該吸引口が、該噴出口から噴出され前記跳ね返る空気をより一層吸引しやすくなる。即ち、隣り合う前記噴出口と前記吸引口とを一対一の関係にすることができる。その結果、より一層吸引効率および乾燥効率を向上させることができる。
【００１０】
本発明の第４の態様は、第１の態様において、前記噴出口から噴出される乾燥空気は、該噴出口を基準として、該噴出口の両隣に配設された前記吸引口の一方に偏倚した角度で噴出され、前記両隣の吸引口によって非対称に吸引されることを特徴とする。  
本発明の第４の態様によれば、第１の態様と同様の作用効果に加え、前記噴出口から噴出される乾燥空気は、該噴出口を基準として、該噴出口の両隣に配設された前記吸引口の一方に偏倚した角度で噴出され、前記両隣の吸引口によって非対称に吸引される。従って、第２の態様と同様の作用効果を得ることができる。
【００１１】
本発明の第５の態様は、第１から第４のいずれか一の態様において、前記噴出口および前記吸引口が配列された領域において、最外周は前記吸引口であることを特徴とする。  
本発明の第５の態様によれば、第１から第４のいずれか一の態様と同様の作用効果に加え、前記噴出口および前記吸引口が配列された領域において、最外周は前記吸引口である。従って、前記乾燥空気が前記領域より外側へ与える影響を殆ど無にすることができる。  
例えば、該乾燥装置がインクジェット式記録装置の記録ヘッド近傍に設けられていた場合、該記録ヘッドから吐出されるインク滴に与える影響を殆ど無にすることができる。その結果、記録精度が低下する虞がない。
【００１２】
本発明の第６の態様は、第１から第５のいずれか一の態様において、複数の前記噴出口の噴出方向上流側に設けられ、送られてきた乾燥空気の気流を第１方向において分割し分岐する第１噴出気流分岐部と、該第１噴出気流分岐部によって分岐された乾燥空気の気流を前記第１方向と交差する第２方向において分割し前記複数の噴出口へ分岐する第２噴出気流分岐部と、複数の前記吸引口の吸引方向下流側に設けられ、前記複数の吸引口から吸引された空気の気流を前記第２方向において結合し合流する第１吸引気流合流部と、該第１吸引気流合流部によって合流された複数の気流を前記第１方向において結合し合流する第２吸引気流合流部と、を備え、前記噴出口および前記吸引口は、前記第２方向において交互に配列され、前記第２噴出気流分岐部および前記第１吸引気流合流部は、前記第１方向において交互に配列されていることを特徴とする。
【００１３】
本発明の第６の態様によれば、第１から第５のいずれか一の態様と同様の作用効果に加え、前記第１噴出気流分岐部と、前記第２噴出気流分岐部と、前記第１吸引気流合流部と、前記第２吸引気流合流部と、を備えている。従って、前記第１方向において、均一に噴出・吸引することができる。その結果、前記第１方向において、被乾燥体をムラなく乾燥させることができる。  
また、前記噴出口および前記吸引口を、コンパクト、かつ、容易に前記第２方向において交互に配列することができる。
【００１４】
本発明の第７の態様の記録装置は、被記録媒体を搬送する搬送部と、搬送された被記録媒体に対して記録を実行する記録部と、記録された被記録媒体に対して乾燥空気を噴出する乾燥部と、を備えた記録装置であって、該乾燥部は、上記第１から第６いずれかの態様の前記乾燥装置を備えていることを特徴とする。  
本発明の第７の態様によれば、前記乾燥部は、上記第１から第６いずれかの態様の前記乾燥装置を備えている。従って、前記記録装置において、上記第１から第６いずれかの態様と同様の作用効果を得ることができる。
【００１５】
以下、本発明の実施の形態を図面に基づいて説明する。  
図１は本発明に係る「記録装置」或いは「液体噴射装置」の一例としてのインクジェットプリンタ（以下「プリンタ」と言う）１の外観斜視図である。  
ここで、液体噴射装置とは、液体噴射ヘッドとしての記録ヘッドから記録紙等の被記録材へインクを噴射して被記録材への記録を実行するインクジェット式記録装置、複写機及びファクシミリ等の記録装置に限らず、インクに代えて特定の用途に対応する液体を前述した記録ヘッドに相当する液体噴射ヘッドから、被記録材に相当する被噴射材に噴射して、液体を被噴射材に付着させる装置を含む意味で用いる。
【００１６】
またさらに、液体噴射ヘッドとしては、前述した記録ヘッド以外に、液晶ディスプレイ等のカラーフィルタ製造に用いられる色材噴射ヘッド、有機ＥＬディスプレイや面発光ディスプレイ（ＦＥＤ）等の電極形成に用いられる電極材（導電ペースト）噴射ヘッド、バイオチップ製造に用いられる生体有機物噴射ヘッド、精密ピペットとしての試料を噴射する試料噴射ヘッド等が挙げられる。
【００１７】
プリンタ１は、例えばＪＩＳ規格のＡ０判やＢ０判などといった比較的大型サイズの幅を有する被噴射媒体或いは被記録媒体としてのロール紙Ｐにまで記録できる大型のプリンタであり、ロール紙供給部３及び記録実行部４を備えた本体部２と、排紙受け部５とを備えて構成されている。  
本体部２はベース９に立設された支柱８の上部に設けられており、記録の行われたロール紙Ｐを斜め下方に排出する排出口６を有している。排出口６の下方にはスタッカ１０の開口部７が位置しており、記録の行われたロール紙Ｐが排出口６から開口部７へ向けて排出され、スタッカ１０によって受け止められる。
【００１８】
ロール紙供給部３にはロール紙ロール（以下「ロール」と言う）Ｒが収納可能に構成され、ロールＲからロール紙Ｐが繰り出され、記録を実行する記録実行部４へと斜め下方へ供給される。そして、ロール紙ホルダ（図示せず）に、ロールＲがセットされる。ロール紙供給時には、ロール紙ホルダがロール駆動手段としてのスピンドルモータ（図示せず）により回転駆動されることにより、ロール紙Ｐが下流側に供給される。
【００１９】
記録実行部４は、ロール紙Ｐに対し液体としてのインクを吐出（噴射）する、液体噴射手段或いは記録手段としての記録ヘッド１２と、記録ヘッド１２と対向配置されるプラテン（図示せず）と、記録ヘッド１２の上流側に設けられ、ロール紙Ｐを下流側へ搬送する搬送駆動ローラ（搬送ローラ）（図示せず）およびこれに圧接して従動回転する搬送従動ローラ（図示せず）と、を有している。
【００２０】
記録ヘッド１２はキャリッジ１３に設けられ、キャリッジ１３は、記録ヘッド１２の走査方向（主走査方向）に延びるガイド軸（図示せず）と、同様に主走査方向に延びるガイド板（図示せず）と、によってガイドされながら、図示しないモータの動力を受けて主走査方向に移動する。  
記録ヘッド１２の下流側には、用紙吸引部としてのエア吸引手段（図示せず）が設けられており、このエア吸引手段（図示せず）によって記録ヘッド１２の下流側においてロール紙Ｐが浮き上がらないように規制状態に置かれ、ロール紙Ｐの浮き上がりによる記録品質の低下が防止されるようになっている。  
また、キャリッジ１３には、記録ヘッド１２からロール紙Ｐに対して吐出されたインクを乾燥させる乾燥装置である乾燥部２０が設けられている。続いて乾燥部２０について説明する。
【００２１】
図２に示すのは、本発明に係る乾燥部の概略を示す斜視図である。また、図３に示すのは、本発明に係る乾燥部の概略を示す平面断面図である。またさらに、図４（Ａ）（Ｂ）に示すのは、乾燥部の概略を示す底面図および要部側断面図である。このうち、図４（Ａ）は底面図であり、図４（Ｂ）は要部側断面図である。また、図５に示すのは、本発明に係る乾燥部の概略を示す側断面図である。
【００２２】
図２〜図５に示す如く、乾燥部２０は、送風管２１と、Ｘ軸方向噴出気流分岐部２２と、Ｙ軸方向噴出気流分岐部２３、２３と、複数の噴出口Ａ１〜Ａ５と、複数の吸引口Ｂ１〜Ｂ６と、Ｙ軸方向吸引気流合流部４３、４３、４３と、Ｘ軸方向吸引気流合流部４２と、吸引管４１とを有する。これらの部材は、板状部材３０によって区画形成されている。また、乾燥部２０は、乾燥熱風を送り出す熱源部（図示せず）と送風部（図示せず）とを有する。またさらに、乾燥部２０は、真空吸引をする負圧発生部としての吸引ポンプ（図示せず）を有する。
【００２３】
また、Ｘ軸方向噴出気流分岐部２２は、Ｘ軸方向において乾燥熱風を分割し、分岐させることができるように構成されている。またさらに、Ｙ軸方向噴出気流分岐部２３、２３は、Ｙ軸方向において後述する第１分岐乾燥熱風を分割し、分岐させることができるように構成されている。  
また、噴出口Ａ１〜Ａ５は、乾燥熱風をロール紙Ｐの記録面に対して噴出することができるように設けられている。
【００２４】
またさらに、吸引口Ｂ１〜Ｂ６は、対向する空間の空気を吸引することができるように設けられている。また、Ｙ軸方向吸引気流合流部４３、４３、４３は、吸引した空気の流れ（以下、吸引気流という）をＹ軸方向において一つに合流させることができるように設けられている。またさらに、Ｘ軸方向吸引気流合流部４２は、吸引気流をＸ軸方向において一つに合流させることができるように設けられている。
【００２５】
以下、気流の上流側から下流側の順で説明する。  
熱源部（図示せず）と送風部（図示せず）から送風管２１によって乾燥熱風が送られる。理解しやすくするために、送風管２１によって乾燥熱風が送られる方向をＹ軸における正方向（矢印Ｙ方向）とする。  
ここで、Ｙ軸方向は、ロール紙Ｐが搬送される方向である。
【００２６】
そして、送られた乾燥熱風は、Ｘ軸方向噴出気流分岐部２２によって、Ｘ軸方向に分割される（図３参照）。そして、乾燥熱風は、分岐してそれぞれＹ軸の正方向へ進み続ける（以下、第１分岐乾燥熱風という）。  
ここで、Ｘ軸方向は、ロール紙Ｐの幅方向である。  
また、本実施例では、Ｘ軸方向に２分割して、第１分岐乾燥熱風の流れを２つ発生させている。尚、分割する数は２に限られるものではない。
【００２７】
その後、第１分岐乾燥熱風は、Ｙ軸方向噴出気流分岐部２３、２３によって、Ｙ軸方向に分割されＺ軸の負方向（矢印Ｚ方向と逆方向）へ進む（図３および図５参照）。即ち、第１分岐乾燥熱風は、さらに分岐してそれぞれＺ軸の負方向へ進み続ける（以下、第２分岐乾燥熱風という）（図５参照）。  
本実施例では、孔状の送風セルａ１１〜ａ１５、ａ２１〜ａ２５によってＹ軸方向に５分割して（図３参照）、第２分岐乾燥熱風の流れを合計１０発生させている。尚、分割する数は５に限られるものではない。
【００２８】
その後、第２分岐乾燥熱風は、噴出口Ａ１〜Ａ５へ進む。ここで、噴出口Ａ１〜Ａ５は、Ｘ軸方向に長尺に設けられており（図４（Ａ）参照）、噴出口Ａ１〜Ａ５の内部にはＸ軸方向において板状部材３０による区画がされていない構成である。従って、Ｙ軸方向において同じ位置をＺ軸の負方向へ進む複数の第２分岐乾燥熱風を、合流させて同じ噴出口Ａ１〜Ａ５から噴出されることができる。
【００２９】
より具体的には、Ｙ軸方向において同じ位置である送風セルａ１１、ａ２１を通過しＺ軸の負方向へ進む二つの第２分岐乾燥熱風（ａ１１）と、第２分岐乾燥熱風（ａ２１）とが、噴出口Ａ１の内部で合流して噴出口Ａ１から噴出される。同様に、噴出口Ａ２からは、送風セルａ１２、ａ２２を通過した第２分岐乾燥熱風（ａ１２）と、第２分岐乾燥熱風（ａ２２）とが合流して噴出される。噴出口Ａ３、Ａ４、Ａ５も同様である。  
その結果、ロール紙Ｐの幅方向Ｘにおいて、均一に乾燥熱風を、ロール紙Ｐの記録面に対して噴出することができる。即ち、幅方向Ｘにおいて噴出ムラがない。  
尚、ロール紙Ｐの面は、Ｘ―Ｙ軸面であるとする。
【００３０】
また、噴出口Ａ１〜Ａ５において、板状部材３０ｂは、Ｚ軸に対して傾斜した傾斜部３１を有する。具体的には、図４（Ｂ）において、噴出口（例えばＡ１）を区画する一対の板状部材３０ａ、３０ｂのうち、一方である左側の板状部材３０ａの一部に傾斜部３１が設けられている。そして、傾斜部３１は、他方である右側の板状部材３０ｂに対して、噴出方向下流側へ進むに従って徐々に接近するように傾斜している。  
尚、他の噴出口Ａ２〜Ａ５についても同様である。
【００３１】
従って、噴出口（例えばＡ１）から噴出される乾燥熱風（合流した第２分岐乾燥熱風）をＺ軸に対して傾かせることができる。即ち、ロール紙Ｐの記録面における垂線に対して傾けることができる。その結果、噴出した乾燥熱風を、ロール紙Ｐの記録面に当てたとき、跳ね返りやすくすることができる。  
尚、乾燥熱風をロール紙Ｐの記録面に対して垂直に当てた場合であっても、噴出口Ａ１〜Ａ５と吸引口Ｂ１〜Ｂ６とを交互に配列したことによって、一箇所に気圧溜りが集中することを防止することができる。その結果、従来と比較して暴露量の減少を抑えることができる。
【００３２】
さらに、ロール紙Ｐの記録面から跳ね返った空気が、右隣の吸引口（例えばＢ２）へ向かうようにすることができる。例えば、噴出口Ａ１から噴出される乾燥熱風を、前記跳ね返りを加味して吸引口Ｂ２へ向かうように傾斜部３１の角度を設けることができる。さらに加えて、吸引口（例えばＢ２）の入り口の面積を広げることができる。  
その結果、該跳ね返った空気、即ち、インクの水分を奪い保持した湿った空気を、吸引口（例えばＢ２）によって吸引しやすくすることができる。  
尚、他の吸引口Ｂ３〜Ｂ６についても同様である。
【００３３】
またさらに、噴出口Ａ１〜Ａ５を区画する一対の板状部材３０ａ、３０ｂのうち、前記一方である左側の板状部材３０ａの傾斜部３１の噴出方向下流端である先端部３２は、前記他方である右側の板状部材３０ｂの噴出方向下流端である先端部３３より、下方（Ｚ軸の負側）に位置する構成である。即ち、右側の板状部材３０ｂの噴出方向下流端である先端部３３は、傾斜部３１の噴出方向下流端である先端部３２より、ロール紙Ｐの記録面に対して退避した位置に設けられている。
【００３４】
従って、噴出口（例えばＡ１）の右隣の吸引口（例えばＢ２）が、左隣の吸引口（例えばＢ１）と比較して、前記跳ね返った空気を吸引しやすくすることができる。即ち、噴出口Ａ１〜Ａ５と吸引口Ｂ２〜Ｂ６との関係を一対一の関係にすることができ、空気の流れをスムーズにすることができる。さらに言い換えると、気圧溜りの発生を低減することができる。その結果、乾燥効率を向上させることができる。
【００３５】
即ち、ロール紙Ｐの記録面に乾燥空気を高速で衝突させ、また、反射流の流路を設けた吸引口Ｂ１〜Ｂ６を負圧としてスムーズに誘導して回収することができる。その結果、単位面積・時間当りに大量の乾燥空気を均一に暴露させることができる。  
また、乾燥部２０は、幅方向Ｘに一対の側方吸引口Ｃ１、Ｃ２を有する（図２および図４（Ａ）参照）。側方吸引口Ｃ１、Ｃ２は、連通口４５、４５…を介して吸引口Ｂ１〜Ｂ６と繋がっている。従って、後述するように側方吸引口Ｃ１、Ｃ２においても負圧を発生させ、空気を吸引することができる。
【００３６】
また、噴出口Ａ１〜Ａ５、吸引口Ｂ１〜Ｂ６および側方吸引口Ｃ１、Ｃ２が構成する領域Ｅの最外周を、吸引力を有する吸引口Ｂ１、Ｂ６および側方吸引口Ｃ１、Ｃ２によって構成することができる。従って、噴出口Ａ１〜Ａ５から乾燥熱風を噴出した際、前記跳ね返った空気を確実に吸引することができ、前記最外周より外側の空間に影響を与える虞がない。具体的には、乾燥部２０の近傍に設けられた記録ヘッド１２のインク吐出に影響を与える虞がない。即ち、記録ヘッド１２による記録精度が低下する虞がない。
【００３７】
続いて、吸引経路について説明する。  
前述した図示しない吸引ポンプは、吸引管４１の内部に負圧を発生させることができるように設けられている。吸引管４１は、Ｘ軸方向吸引気流合流部４２およびＹ軸方向吸引気流合流部４３、４３、４３を介して複数の吸引口Ｂ１〜Ｂ６と繋がっている。従って、複数の吸引口Ｂ１〜Ｂ６において負圧を発生させることができる。また、前述したように側方吸引口Ｃ１、Ｃ２は、連通口４５、４５…を介して複数の吸引口Ｂ１〜Ｂ６と連通している。従って、側方吸引口Ｃ１、Ｃ２においても負圧を発生させることができる。
【００３８】
従って、吸引口Ｂ１〜Ｂ６および側方吸引口Ｃ１、Ｃ２は、吸引口Ｂ１〜Ｂ６および側方吸引口Ｃ１、Ｃ２と対向する空間の空気を吸引することができる（該吸引した空気の流れを吸引気流という）。  
ここで、前述したように、吸引口Ｂ１〜Ｂ６には、ロール紙Ｐの記録面から跳ね返った空気が進入する（図４（Ｂ）および図５参照）。従って、特に吸引口Ｂ２〜Ｂ６は、積極的に前記跳ね返った空気を吸引することができる。
【００３９】
そして、Ｙ軸方向において同じ位置をＺ軸の正方向（矢印Ｚ方向）へ進む吸引気流は、Ｚ軸の正方向へ進みＸ軸方向吸引気流分岐部４４、４４…によって、Ｘ軸方向に分割される（図３参照）。このとき、吸引気流は、分岐してそれぞれＺ軸の正方向へ進み続ける（以下、吸引分岐気流という）。  
本実施例では、Ｘ軸方向に３分割して、吸引分岐気流を合計１８発生させている（一つの吸引口につき３つ）。  
より具体的には、Ｙ軸方向において同じ位置である吸引口Ｂ１の内部をＺ軸の正方向へ進む吸引気流は、孔状の吸引セルｂ１１、ｂ２１、ｂ３１によってＸ軸方向に３分割される。吸引口Ｂ２〜Ｂ６の内部についても同様である。
【００４０】
その直後に、吸引分岐気流は、吸引セルｂ１１〜ｂ１６、ｂ２１〜ｂ２６、ｂ３１〜ｂ３６を通過してＹ軸方向へ向きを変える。そして、Ｙ軸方向吸引気流合流部４３によって、Ｘ軸方向において同じ位置の吸引分岐気流同士が合流し一体となる（図３および図５参照）。  
より具体的には、Ｘ軸方向において同じ位置の吸引セルｂ１１〜ｂ１６を通過した吸引分岐気流が、Ｙ軸方向へ向きを変えながら、一つに合流する（以下、第１吸引合流気流という）。吸引セルｂ２１〜ｂ２６、ｂ３１〜ｂ３６を通過した吸引分岐気流についても同様である。
【００４１】
本実施例では、Ｙ軸方向吸引合流部によって３つの第１吸引合流気流を発生させている。  
その後、３つの第１吸引合流気流は、Ｙ軸の正方向へさらに進み、Ｘ軸方向吸引気流合流部４２によって、Ｘ方向において一つに合流する。そして、吸引管４１を進み吸引ポンプへ吸引される。  
その結果、ロール紙Ｐの幅方向Ｘにおいて、均一に前記跳ね返った空気を吸引することができる。即ち、幅方向Ｘにおいて吸引ムラがない。
【００４２】
以上、説明したように、ロール紙Ｐの記録面に乾燥空気を高速で衝突させ、また、反射流の流路を設けた吸引口Ｂ１〜Ｂ６を負圧としてスムーズに誘導して回収することができる。その結果、単位面積・時間当りに大量の乾燥空気を均一に暴露させることができる。  
また、記録装置のキャリッジ１３において、記録ヘッド１２より記録実行時の進行方向後側に乾燥部２０を設けることができる。係る場合、記録ヘッド１２がインクを吐出して該インクがロール紙Ｐの記録面に着弾した直後に該インクを乾燥することができる。その結果、インクがロール紙Ｐにしみ込む前に、ロール紙Ｐの表面でインクを乾燥させることができる。即ち、インクをロール紙Ｐの表面に留まらせることができる。
【００４３】
また、インクがロール紙Ｐにしみ込むことによってロール紙Ｐに皺変形である所謂、コックリングを低減することができる。  
またさらに、少量のインクで濃くみせることができる。即ち、従来と比較して少量のインクで、従来と同様の濃さを表すことができる。  
また、隣り合うインク滴が引き合うことによって、インクが混色する所謂、凝集を低減することができる。  
尚、記録ヘッド１２が主走査方向の往路および復路において記録を実行する構成であれば、乾燥部２０を記録ヘッド１２の両側に設けるのが望ましい。
【００４４】
本実施形態の乾燥装置としての乾燥部２０は、被乾燥体の一例であるロール紙Ｐに対して乾燥空気を噴出する噴出口Ａ１〜Ａ５と、空気を吸引する吸引口Ｂ１〜Ｂ６と、噴出口Ａ１〜Ａ５と吸引口Ｂ１〜Ｂ６とを交互に配列し、区画する板状区画材としての板状部材３０と、を備えていることを特徴とする。  
また、本実施形態において、噴出口Ａ１〜Ａ５において、向かい合う一対の板状部材３０ａ、３０ｂの一方の３０ａのみが、噴出方向下流側であるＺ軸の負方向に進むに従って徐々に前記一対の板状部材３０ａ、３０ｂの他方の３０ｂに接近するように該他方の板状部材３０ｂに対して傾斜している傾斜部３１を有していることを特徴とする。
【００４５】
またさらに、本実施形態において、前記一対の板状部材３０ａ、３０ｂの一方の噴出方向下流端である（傾斜部側の）先端部３２は、前記他方の噴出方向下流端である（他方の）先端部３３より噴出方向下流側に位置することを特徴とする。  
また、本実施形態において、噴出口Ａ１〜Ａ５から噴出される乾燥空気は、噴出口Ａ１〜Ａ５を基準として、噴出口Ａ１〜Ａ５の両隣に配設された吸引口Ｂ１〜Ｂ６の一方に偏倚した角度で噴出され、前記両隣の吸引口Ｂ１〜Ｂ６によって非対称に吸引されることを特徴とする。  
またさらに、本実施形態において、噴出口Ａ１〜Ａ５および吸引口Ｂ１〜Ｂ６が配列された領域Ｅにおいて、最外周は吸引口Ｂ１、Ｂ６および側方吸引口Ｃ１、Ｃ２であることを特徴とする。
【００４６】
また、本実施形態において、複数の噴出口Ａ１〜Ａ５の噴出気流経路上流側に設けられ、送られてきた乾燥空気の気流を第１方向であるＸ軸方向において分割し分岐する第１噴出気流分岐部としてのＸ軸方向噴出気流分岐部２２と、Ｘ軸方向噴出気流分岐部２２によって分岐された乾燥空気の気流をＸ軸方向と交差する第２方向であるＹ軸方向において分割し複数の噴出口Ａ１〜Ａ５へ分岐する第２噴出気流分岐部としてのＹ軸方向噴出気流分岐部２３、２３と、複数の吸引口Ｂ１〜Ｂ６の吸引気流経路下流側に設けられ、複数の吸引口Ｂ１〜Ｂ６から吸引された空気の気流をＹ軸方向において結合し合流する第１吸引気流合流部としてのＹ軸方向吸引気流合流部４３、４３、４３と、Ｙ軸方向吸引気流合流部４３、４３、４３によって合流された複数の気流をＸ軸方向において結合し合流する第２吸引気流合流部としてのＸ軸方向吸引気流合流部４２と、を備え、噴出口Ａ１〜Ａ５および吸引口Ｂ１〜Ｂ６は、Ｙ軸方向において交互に配列され、Ｙ軸方向噴出気流分岐部２３、２３およびＹ軸方向吸引気流合流部４３、４３、４３は、Ｘ軸方向において交互に配列されていることを特徴とする。
【００４７】
本実施形態の記録装置としてのプリンタ１は、被記録媒体の一例であるロール紙Ｐを搬送する搬送部としてのロール紙供給部３と、搬送されたロール紙Ｐに対して記録を実行する記録部としての記録実行部４と、記録されたロール紙Ｐに対して乾燥空気を噴出する乾燥部２０と、を備えていることを特徴とする。  
尚、本発明は上記実施例に限定されることなく、特許請求の範囲に記載した発明の範囲内で、種々の変形が可能であり、それらも本発明の範囲内に含まれるものであることは言うまでもない。
【図面の簡単な説明】
【００４８】
【図１】本発明に係るプリンタの外観斜視図。
【図２】本発明に係る乾燥部の概略を示す斜視図。
【図３】本発明に係る乾燥部の概略を示す平面断面図。
【図４】（Ａ）（Ｂ）は乾燥部の概略を示す底面図および要部側断面図。
【図５】本発明に係る乾燥部の概略を示す側断面図。
【符号の説明】
【００４９】
１  インクジェットプリンタ、２  本体部、３  ロール紙供給部、４  記録実行部、
５  排紙受け部、６  （ロール紙の）排出口、７  開口部、８  支柱、９  ベース、
１０  （ロール紙の）スタッカ、１２  記録ヘッド、１３  キャリッジ、２０  乾燥部、
２１  送風管、２２  Ｘ軸方向噴出気流分岐部、２３  Ｙ軸方向噴出気流分岐部、
３０  板状部材、３０ａ  噴出口を形成する一対の板状部材うちの一方、
３０ｂ  噴出口を形成する一対の板状部材うちの他方、３１  傾斜部、
３２  （傾斜部側の）先端部、３３  （他方の）先端部、４１  吸引管、
４２  Ｘ軸方向吸引気流合流部、４３  Ｙ軸方向吸引気流合流部、
４４  Ｘ軸方向吸引気流分岐部、４５  連通口、Ａ１〜Ａ５  噴出口、
ａ１１〜ａ１５  送風セル、ａ２１〜ａ２５  送風セル、Ｂ１〜Ｂ６  吸引口、
ｂ１１〜ｂ１６  吸引セル、ｂ２１〜ｂ２６  吸引セル、ｂ３１〜ｂ３６  吸引セル、
Ｃ１、Ｃ２  側方吸引口、Ｅ  領域、Ｐ  ロール紙、Ｒ  ロール、Ｘ  幅方向、
Ｙ  搬送方向、
【図１】
2009208422.tif 000003
【図２】
2009208422.tif 000004
【図３】
2009208422.tif 000005
【図４】
2009208422.tif 000006
【図５】
2009208422.tif 000007